(57)【要約】【課題】  本発明は、少なくとも一つのガス入口開口部と少なくとも一つのガス出口開口部を備えた真空ポンプであって、この真空ポンプが、少なくとも一つのロータシャフトを備え、そのロータシャフトには、ポンプ作用を生み出すための静止部品と対向して配置されたポンプ作用を生み出すための回転部品を有する少なくとも一つのロータが、ロータシャフトの中心に配置された軸方向を向いた少なくとも一つの固定部材を用いて固定されている真空ポンプに関する。【解決手段】  本発明による真空ポンプの少なくとも一つのロータとロータシャフトは、この少なくとも一つの固定部材に追加して、回転阻止部を備えている。【選択図】  図１
2014051969.tif 000002
【特許請求の範囲】
【請求項１】
少なくとも一つのガス入口開口部と少なくとも一つのガス出口開口部を備えた真空ポンプであって、この真空ポンプが、少なくとも一つのロータシャフトを備え、そのロータシャフトには、ポンプ作用を生み出すための静止部品と対向して配置されたポンプ作用を生み出すための回転部品を有する少なくとも一つのロータが、ロータシャフトの中心に配置された軸方向を向いた少なくとも一つの固定部材を用いて固定されている真空ポンプにおいて、
この少なくとも一つのロータ（２０１）とロータシャフト（２３２）が、この少なくとも一つの固定部材（２８０）に追加して、回転阻止部（２８１；３０９；３１１；３１３，３１４；３１７，３１８）を備えていることを特徴とする真空ポンプ。
【請求項２】
当該の回転阻止部（２８１；３０９；３１１；３１３，３１４；３１７，３１８）がロータ（２０１）のセンタリングスタッド（２８９）又はロータシャフト（２３２）に配置されていることを特徴とする請求項１に記載の真空ポンプ。
【請求項３】
当該の回転阻止部が、ロータシャフト（２３２）及びロータ（２０１）の中に差し込まれる少なくとも一つのピン（２８１）として構成されていることを特徴とする請求項１又は２に記載の真空ポンプ。
【請求項４】
当該の少なくとも一つのピン（２８１）が軸方向又は半径方向を向いて配置されていることを特徴とする請求項１から３までのいずれか一つに記載の真空ポンプ。
【請求項５】
当該のピン（２８１）が、ロータ（２０１）又はロータ（２０１）のセンタリングスタッド（２８９）の孔（３００，３０１，３０４，３０５，３０６，３０７）又はスリット（３０２，３０３，３０８）の中に配置されていることを特徴とする請求項１から４までのいずれか一つに記載の真空ポンプ。
【請求項６】
当該の回転阻止部が、ロータ（２０１）とロータシャフト（２３２）の間に配置される摩擦リング（３０９）として構成されていることを特徴とする請求項１又は２に記載の真空ポンプ。
【請求項７】
当該の回転阻止部が、ロータ（２０１）及び／又はロータシャフト（２３２）の少なくとも一つの接合面又は当接面の片側又は両側のコーティング部として構成されていることを特徴とする請求項１又は２に記載の真空ポンプ。
【請求項８】
ロータ（２０１）又はロータシャフト（２３２）において、ロータ（２０１）とロータシャフト（２３２）の間の接触面（３１０，３１２）に、少なくとも一つの突起（３１１）が設けられており、それが、それと対向する部材（２０１，２３２）に可塑的な変形を引き起こす突起（３１１）として構成されていることを特徴とする請求項１又は２に記載の真空ポンプ。
【請求項９】
ロータシャフト（２３２）又はロータ（２０１）において、半径方向又は軸方向に向かって隆起部分（３１５ａ，３１５ｂ；３１７）が設けられていることと、それと逆のロータ（２０１）又はロータシャフト（２３２）において、それらの隆起部分（３１５ａ，３１５ｂ；３１７）と形状結合して受け入れる窪み部分（３１６ａ，３１６ｂ；３１８）が設けられていることとを特徴とする請求項１又は２に記載の真空ポンプ。
【発明の詳細な説明】
【技術分野】
【０００１】
本発明は、真空ポンプに関する。
【背景技術】
【０００２】
従来技術（特許文献１）では、ポンプ作用を生み出すための回転部品を備えて、ロータシャフト上に配置されたロータを真空ポンプ、例えば、ターボ分子ポンプに配備することが知られている。そのようなポンプ作用を生み出すための回転部品は、ポンプ作用を生み出すための静止部品、所謂ステータと対向して配置されている。
【０００３】
前記の従来技術により、ボルトを用いて、釣り鐘形状のロータをロータシャフトの正面側と連結することが知られている。そのために、このシャフトは、ロータのスタッド部を差し込むための凹部を有する。
【０００４】
そのような従来技術に属する実施構成の欠点は、そこに図示された解決策が専ら摩擦に基づいているので、ロータがシャフトに対して回転する可能性が有ることである。そのため、過負荷時に回転が起こる可能性が有る。それは、連結部を解放させてしまい、その結果ボルト連結部の所要の安全性が得られなくなる。
【０００５】
動作中にロータが解放されることは、ポンプを全壊させることとなる。
【０００６】
従来技術（特許文献２）では、ロータの回転が防止されている。その従来技術によると、複数のボルトを用いて、ロータをロータシャフトの正面側と固定する形状結合による連結部を配備することが知られている。それによって、ロータの回転が、そのためシャフトからのロータの解放が防止されている。しかし、そのような従来技術に属する実施構成の欠点は、組み立てに比較的負担が掛かること、並びにボルト形状の複数の高価な部品を必要とするので、ポンプの価格が上昇することである。
【先行技術文献】
【特許文献】
【０００７】
【特許文献１】ドイツ実用新案第２０２００５０１９６４４号明細書
【特許文献２】国際特許公開第２０１２／０７７４１１号明細書
【発明の概要】
【発明が解決しようとする課題】
【０００８】
本発明の課題は、前記の欠点が生じない真空ポンプを提示することである。
【課題を解決するための手段】
【０００９】
本課題は、請求項１に記載された特徴を有する真空ポンプによって解決される。
【００１０】
本発明による真空ポンプは、少なくとも一つのガス入口開口部と少なくとも一つのガス出口開口部を備え、この真空ポンプが、少なくとも一つのロータシャフトを備え、そのロータシャフトには、ポンプ作用を生み出すための静止部品と対向して配置されたポンプ作用を生み出すための回転部品を有する少なくとも一つのロータが、ロータシャフトの中心に配置された軸方向を向いた少なくとも一つの固定部材を用いて固定されており、この少なくとも一つのロータとロータシャフトが、この少なくとも一つの固定部材に追加して、回転阻止部を備えていることを特徴とする。
【００１１】
この回転阻止部は、最も簡単な手法で設計、構成することができ、そのため、安価な解決策により、ロータシャフトに対して相対的なロータの回転を防止し、そのため、ロータシャフトの中心に配置された少なくとも一つの固定部材の解放を防止している。
【００１２】
本発明の特に有利な実施構成では、この回転阻止部が、ロータのセンタリングスタッドに配置される。何れにせよ、組み立て時に、中心に配置された固定部材をセンタリングスタッドに良好に取り付けることが可能であり、そのため、回転阻止部をセンタリングスタッドに配置することが有効である。
【００１３】
基本的には、センタリングスタッドをロータシャフトに配置して、ロータの孔に差し込む手法が有る。
【００１４】
センタリングスタッドをロータに配置してから、更に、それに対応するロータシャフトの凹部に差し込む手法も有る。
【００１５】
基本的には、スタッドを決してロータ及びシャフトに配置しない手法も有る。この場合、ダウエルピンなどの一つ以上の同心又は偏心形状結合部材、或いは止めボルトなどの形状結合部材と固定部材の組合せによって、センタリングを行なうことができる。
【００１６】
本発明の特に有利な実施構成は、回転阻止部が、ロータシャフトとロータの中に差し込まれる少なくとも一つのピンとして構成されるものと規定する。
【００１７】
そのようなピンは、非常に安価に構成できる。更に、そのピンがロータシャフトとロータを互いに一定の遊びで一定の位置に保持すれば、ロータシャフトに対して相対的なロータの回転も防止されるので、そのピンには、調整精度に関する高い要件が課されない。
【００１８】
この少なくとも一つのピンを軸方向又は半径方向に向けて配置する手法が有る。基本的には、このピンを半径方向に対して斜めに配置する手法も有る。
【００１９】
本発明の別の有利な実施構成では、このピンが、ロータのセンタリングスタッドのスリット又は孔の中に配置される。このピンは、その一端をセンタリングスタッドのスリット又は孔に差し込まれ、その他端をロータシャフトのスリット又は孔に差し込まれる。
【００２０】
本発明の別の有利な実施構成は、回転阻止部として、摩擦リングを配備するものと規定する。この摩擦リングは、二つのロータ構成部品であるロータとシャフトに関する相応の材料の選択及び／又は相応の表面コーティングによって、それらのロータ構成部品の間で直接実現される摩擦係数よりも高い摩擦係数を有する。この摩擦リングは、ロータとロータシャフトの間に配置される、有利には、シャフトの正面とシャフトの正面の方向を向いた、ロータのセンタリングスタッドの面との間に配置される。この実施構成によって、ロータとロータシャフトの構成を変更すること無く、ロータとロータシャフトの間の回転を防止することが確保される。
【００２１】
本発明の別の有利な実施構成は、ロータとシャフトの間の接合面又は当接面が摩擦係数を増大させるために片側又は両側をコーティングされるものと規定する。この実施構成によって、摩擦リング無しに、ロータとロータシャフトの間に回転阻止部を実現することが可能となる。
【００２２】
基本的には、摩擦リングとロータ及びロータシャフトの接合面又は当接面の片側又は両側のコーティング部とを配備する手法も有る。
【００２３】
本発明の別の有利な実施構成は、ロータ又はロータシャフトにおいて、ロータとロータシャフトの間の接触面に少なくとも一つの突起を配置して、それが、それと対向する部材に可塑的な変形を引き起こす突起として構成されるものと規定する。そのような突起は、例えば、所謂穿孔点とすることができる。この穿孔点は、例えば、ロータの材料から構成される。固定部材、例えば、固定ボルトの締め付けによって、ロータをロータシャフトに押圧した場合、この穿孔点は、それと接触した面に可塑的な変形を引き起こす。この穿孔点がロータに形成されている場合、ロータシャフトに変形を引き起こすことができる。この穿孔点をロータシャフトに形成することも可能である。その場合、この穿孔点はロータに可塑的な変形を引き起こす。一つ以上の穿孔点を構成する場合、ロータとロータシャフトを異なる材料から構成するのが有利である。その場合、この穿孔点は、より高い強度、即ち、より高い弾性限界Ｒｅ  を有する材料に設けられる。この場合、この少なくとも一つの穿孔点は、より柔らかい対向する材料に押し付けられる。
【００２４】
本発明の別の有利な実施形態は、ロータシャフト又はロータにおいて、軸方向に向かって一つの隆起部を配置するとともに、その逆のロータ又はロータシャフトにおいて、その隆起部と形状結合して受け入れる凹部を配置するものと規定する。
【００２５】
例えば、ロータシャフトの正面に、異なる高さを有する、軸方向を向いた巡回する隆起を配備する手法が有る。ロータには、それに対応して逆向き巡回する、ロータシャフトの隆起を受け入れる凹部が配備される。それによって、回転阻止部が確保される。
【００２６】
本発明の別の有利な実施構成は、ロータシャフト又はロータにおいて、半径方向に向かって一つの突起を配置するとともに、その逆のロータ又はロータシャフトにおいて、その突起と形状結合して受け入れる凹部を配置するものと規定する。この実施構成では、例えば、ロータのセンタリングスタッドに、突き出たノーズ部を配備して、そのノーズ部をロータシャフトのスリット内に収容することが考えられる。このノーズ部は、このスリットと当接し、そのため、ロータシャフトに対するロータの回転が防止される。
【００２７】
本発明の更に別の特徴と利点は、ロータとロータシャフトの連結部に関する複数の実施例を単に例示した添付図面から明らかとなる。
【図面の簡単な説明】
【００２８】
【図１】ターボ分子ポンプのロータとターボ分子ポンプの駆動領域の縦断面図
【図２ａ】ピンを用いたロータとロータシャフトの連結部の縦断面図
【図２ｂ】連結されていない状態のロータとシャフトの斜視図
【図３ａ】変化実施例によるロータとロータシャフトの連結部の縦断面図
【図３ｂ】連結されていない状態のロータとシャフトの斜視図
【図４ａ】半径方向に対して斜めに配置されたピンを用いたロータとロータシャフトの連結部の縦断面図
【図４ｂ】連結されていない状態のロータとシャフトの斜視図
【図５ａ】変化実施例によるロータとロータシャフトの連結部の縦断面図
【図５ｂ】連結されていない状態のロータとシャフトの斜視図
【図６ａ】半径方向に向かって配置されたピンを用いたロータとロータシャフトの連結部の縦断面図
【図６ｂ】連結されていない状態のロータとシャフトの斜視図
【図７ａ】摩擦リングを用いたロータとロータシャフトの連結部の縦断面図
【図７ｂ】連結されていない状態のロータ、摩擦リング及びロータシャフトの斜視図
【図８ａ】穿孔点を用いたロータとロータシャフトの連結部の縦断面図
【図８ｂ】連結されていない状態のロータとシャフトの斜視図
【図９ａ】軸方向を向いた幾何学的形状の阻止部を用いたロータとロータシャフトの連結部の縦断面図
【図９ｂ】連結されていない状態のロータとシャフトの斜視図
【図１０ａ】半径方向を向いた幾何学的形状の阻止部を用いたロータとロータシャフトの連結部の縦断面図
【図１０ｂ】連結されていない状態のロータとシャフトの斜視図
【発明を実施するための形態】
【００２９】
図１は、ターボ分子ポンプを図示している。筐体部材２６０内には、シャフト２３２と、その周囲を取り囲む案内軸受２９５、半径方向支持コイル２９１、半径方向センサー２９３及びモータコイル２６１が配置されている。このモータコイル２６１は、シャフト２３２上に置かれた、スリーブ２６３によって保持されたモータマグネット２６２と協力して動作し、そのため、モータコイル２６１に電流を流した場合、シャフト２３２は高速回転に移行する。この半径方向センサー２９３は、シャフト側の半径方向センサーターゲット２９４と協力して動作する。
【００３０】
このターボ分子ポンプは、静止しているポンプ構成部品として、補助真空の方を向いた側に、ホルベック式ステータ２２８を備えており、そのステータには、ロータに配置されたスリーブ２２７と協力して動作するとともに、一緒になってホルベック式ステージ２２６を構成する螺旋状のチャネルが延びている。
【００３１】
別の静止しているポンプ構成部品は、ブレードリングを備えたステータディスク２１２、２１６、２２０及び２２４であり、それらの間に配置されたスペーサリング２１３、２１７、２２１及び２２５によって、軸方向に対して間隔を開けて配置されている。ステータディスク２１２、２１６、２２０及び２２４の間の軸方向の中間スペースには、ロータ用ブレードリング２１１，２１５，２１９及び２２３として構成されたポンプ構成部品が挿入されている。ロータ側の静止しているポンプ構成部品は、対になって協力して動作する。このロータ用ブレードリング２１１は、ステータディスク２１２と共に、チェンバーの方を向いた、高真空内で動作する第一のポンプステージ２１０を構成している。それと同様に、ステータディスク２１６とロータ用ブレードリング２１５が、その次の第二のポンプステージ２１４を構成し、ステータディスク２２０とロータ用ブレードリング２１９が、第三のポンプステージ２１８を構成し、最後のステータディスク２２４とロータ用ブレードリング２２３が、送出圧力でホルベック式ステージに対して作用する第四のポンプステージ２２２を構成している。これらのロータ用ブレードリングは、それぞれ互いに軸方向に対して間隔を開けた面２５０、２５１、２５２及び２５３内に配置されており、ロータ用スリーブの固定領域が面２５４を構成している。
【００３２】
ロータ用ブレードリング２１９と２２３の形のロータ側のポンプ構成部品が第一のロータ部分２０１に配置されており、それと共に一体的な部材を構成している。ロータ用スリーブ２２７は、この第一のロータ部分と連結されている。この第一のロータ部分は、その中心に凹部２３０を有する。この中心から軸方向及び半径方向に延びる中空スペースは、案内軸受２９５の少なくとも一部を収容している。
【００３３】
この第一のロータ部分２０１は、固定部品、例えば、ボルト２８０を用いて、ロータシャフト２３２の正面２５８と連結されている。このシャフト２３２は、第一のロータ部分２０１のスタッド２８９を差し込むための凹部を有し、それによって、半径方向の位置決めが容易となっている。この実施例では、第一のロータ部分２０１は、支持区画２０１ａを有する。この支持区画は、第一のロータ部分２０１から軸方向に関して高真空の方向に、即ち、シャフト２３２と逆の方向に延びている。この支持区画上には、ロータ用ブレードリング２１１と連結される支持リング２０８が配置されている。同様に、別の支持リング２０９とロータ用ブレードリング２１５が互いに連結される。支持リングをロータ用ブレードリングと共に有利に製作することが可能である。
【００３４】
正面側の支持区画２０１ａには、バランス錘２７１を差し込むことが可能なバランス孔２７０が設けられている。ロータ用ブレードリング２１９と２２３のバランス孔２７２には、バランス錘２７３を配置することができる。
【００３５】
シャフト２３２に対する第一のロータ部分２０１の回転を防止するために、一端をロータ部分２０１内に配置し、他端をシャフト２３２内に配置したピン２８１が、回転阻止部として配備されている。そのピンは中心に配置されたボルト２８０から半径方向に間隔を開けて配置されているので、シャフト２３２に対するロータ部分２０１の回転を防止している。
【００３６】
図２ａは、ボルト２８０を用いて、ロータ部分２０１と固定されたロータシャフト２３２を図示している。このピン２８１は、ロータシャフト２３２に対するロータ部分２０１の回転を防止している。
【００３７】
図２ｂでは、軸方向の孔３００がセンタリングスタッド２８９内に設けられている。同様に、このシャフト２３２内には、孔３０１が設けられている。図２ｂに図示されていないピン２８１の端部が、これらの孔３００と３０１に差し込まれる。
【００３８】
図３ａと３ｂは、又もや孔３０１を設けたロータシャフト２３２を図示している。しかし、このロータ２０１のセンタリングスタッド２８９は、孔の代わりにスリット３０２を有する。ピン２８１は、その一端をロータシャフト２３２の孔３０１の中に配置され、その他端をセンタリングスタッド２８９のスリット３０２内に配置される。
【００３９】
このようなスリット３０２による実施構成は、孔による実施構成と比べて、スリット３０２の方が、非常に正確な許容差を遵守せずに、スタティック方式による所定の調整システムを構成できるとの利点を有する。センタリングスタッド２８９が、ロータ２０１とロータシャフト２３２を半径方向に関してセンタリングする役割を果たしている。二つの異なる孔をピンに対して一直線に並べなければならない場合、この解決策は、現存する許容差と遊びに応じて、余裕が無くなり、否定的な影響を与えることとなる。
【００４０】
スリット３０２は、ピン２８１が専ら回転方向の自由度を阻止するとともに、センタリングスタッド２８９によって阻止されない二つの半径方向の自由度に影響を及ぼさないように作用する。
【００４１】
図４ａと４ｂでは、ピン２８１が、ロータ部分２０１のセンタリングスタッド２８９のスリット３０３及びシャフト２３２の半径方向に向かって設けられた孔３０４の中に半径方向に対して斜めに配置されている。
【００４２】
この実施構成では、ピン２８１が、遠心力によって確実に固定される。
【００４３】
図５ａと５ｂでは、ピン２８１が、センタリングスタッド２８９の領域外において半径方向に対して間隔を開けて設けられたロータ２０１の孔３０５の中に配置される。それに対応する対向する孔３０６は、シャフト２３２内に設けられている。この孔３０６は、ロータ２０１に対するシャフト２３２の外側の当接面に設けられている。
【００４４】
図６ａと６ｂは、別の実施例を図示している。ピン２８１は、ロータ用センタリングスタッド２８９内に半径方向に向かって差し込まれ、そのため、センタリングスタッド２８９の孔３０７の中に配置される。ピン２８１の他端は、シャフト２３２のスリット３０８に差し込まれる。
【００４５】
図７ａと７ｂは、別の実施例を図示している。この実施例では、センタリングスタッド２８９とシャフト２３２の正面側２５８の間に摩擦リング３０９が配置されている。ロータ部分２０１は、ボルト２８０によって、シャフト２３２に押し付けられる。この摩擦リング３０９は、シャフト２３２に対して相対的なロータ部分２０１の回転を防止している。
【００４６】
図８ａと８ｂに図示されている実施例では、シャフト２３２の当接面３１０上に穿孔点３１１が形成されている。この穿孔点３１１は、ロータ部分２０１の当接面３１２と当接する。シャフト２３２は、ロータ部分２０１よりも硬い材料から構成されている。ボルト２８０を用いて、ロータ部分２０１をシャフト２３２に締め付けた場合、この穿孔点３１１によって、ロータ部分２０１の当接面３１２の可塑的な変形が起こる。穿孔点３１１と可塑的な変形部分の間の噛み合いによって、同じくシャフト２３２に対して相対的なロータ部分２０１の回転を防止する形状結合部が実現される。
【００４７】
図９ａと９ｂでは、シャフト２３２が、その端部に軸方向に突き出た形状の幾何学的形状による阻止部３１３を有し、それに対応する部分３１４がロータ部分２０１に設けられている。この軸方向に突き出た形状の幾何学的形状による阻止部３１３は、二つの隆起部分３１５ａ，３１５ｂを有し、これらの隆起部分は、それらに対応する窪み部分３１６ａ，３１６ｂに収容される。これらの部分３１３と３１４の形状結合によって、ロータ部分２０１とロータシャフト２３２の間の回転阻止部が実現されている。
【００４８】
本発明の別の実施例が図１０ａ，１０ｂに図示されている。このセンタリングスタッド２８９は、半径方向に突き出た形状の突起３１７を有し、その突起は、ロータシャフト２３２のスリット３１８内に配置される。ロータシャフト２３２のスリット３１８内には、（図示されていない）当接部分が設けられており、そのため、シャフト２３２に対して相対的なロータ部分２０１の回転が防止される。
【００４９】
図１〜１０に図示された実施構成を互いに組み合わせることが可能である。
【符号の説明】
【００５０】
２０１    ロータ部分
２０１ａ  支持区画
２０８    支持リング
２０９    支持リング
２１０    ポンプステージ
２１１    ロータ用ブレードリング
２１２    ステータディスク
２１３    スペーサリング
２１４    ポンプステージ
２１５    ロータ用ブレードリング
２１６    ステータディスク
２１７    スペーサリング
２１８    ポンプステージ
２１９    ロータ用ブレードリング
２２０    ステータディスク
２２１    スペーサリング
２２２    ポンプステージ
２２３    ロータ用ブレードリング
２２４    ステータディスク
２２５    スペーサリング
２２６    ホルベック式ステージ
２２７    スリーブ
２２８    ホルベック式ステータ
２３０    凹部
２３２    ロータシャフト
２５０    面
２５１    面
２５２    面
２５４    面
２５８    シャフト２３２の正面側
２６０    筐体部材
２６１    モータコイル
２６２    モータマグネット
２６３    スリーブ
２７０    バランス孔
２７１    バランス錘
２７２    バランス孔
２７３    バランス錘
２８０    ボルト
２８１    ピン
２８９    スタッド
２９１    半径方向支持コイル
２９２    半径方向支持ターゲット
２９３    半径方向センサー
２９４    半径方向センサーターゲット
２９５    案内軸受
３００    孔
３０１    孔
３０２    スリット
３０３    スリット
３０４    半径方向の孔
３０５    孔
３０６    孔
３０７    孔
３０８    スリット
３０９    摩擦リング
３１０    ステータの当接面
３１１    穿孔点
３１２    ロータ部分２０１の当接面
３１３    軸方向の幾何学的形状による阻止部
３１４    軸方向の幾何学的形状による阻止部の一部分
３１５ａ  隆起部分
３１５ｂ  隆起部分
３１６ａ  窪み部分
３１６ｂ  窪み部分
３１７    突起
３１８    スリット
【図１】
2014051969.tif 000003
【図２ａ】
2014051969.tif 000004
【図２ｂ】
2014051969.tif 000005
【図３ａ】
2014051969.tif 000006
【図３ｂ】
2014051969.tif 000007
【図４ａ】
2014051969.tif 000008
【図４ｂ】
2014051969.tif 000009
【図５ａ】
2014051969.tif 000010
【図５ｂ】
2014051969.tif 000011
【図６ａ】
2014051969.tif 000012
【図６ｂ】
2014051969.tif 000013
【図７ａ】
2014051969.tif 000014
【図７ｂ】
2014051969.tif 000015
【図８ａ】
2014051969.tif 000016
【図８ｂ】
2014051969.tif 000017
【図９ａ】
2014051969.tif 000018
【図９ｂ】
2014051969.tif 000019
【図１０ａ】
2014051969.tif 000020
【図１０ｂ】
2014051969.tif 000021